(57)【要約】【課題】  狭心症または狭心症の前駆症状の治療に適した治療鍼であって、熟達者でなくでもその症状に対応する耳介に在る線状のツボを正しく刺鍼することができるようにしたものを提供する。【解決手段】  治療鍼１は、鍼体２と鍼柄３とからなる。鍼体２の先端側は、耳介に在る特定の線状ツボに横刺で刺し入れられる鍼刺入れ部２１となっている。鍼体２の基端側は、上記線状ツボに刺し入れない非刺入れ部２２となっている。非刺入れ部２２は鍼刺入れ部２１よりも太くなっており、非刺入れ部２２と鍼刺入れ部２１との境界部分には段部２３が形成されている。この段部２３は、非刺入れ部２２が皮膚へ刺し入れられることを防止する手段を構成している。【選択図】  図３  
2005052554.tif 000002
【特許請求の範囲】
【請求項１】
鍼体(2)と鍼柄(3)とからなる治療鍼(1)であって、
鍼体(2)は、狭心症または狭心症の前駆症状に対応する耳介の線状のツボに横刺で刺し入れられる鍼刺入れ部(21)と、上記線状のツボに刺し入れられない非刺入れ部(22)を有し、
該鍼刺入れ部(21)と非刺入れ部(22)との境界部分には、境界の識別手段(23)が設けてあることを特徴とする、
治療鍼。  
【請求項２】
鍼体(2)と鍼柄(3)とからなる治療鍼(1)であって、
鍼体(2)は、狭心症または狭心症の前駆症状に対応する耳介の線状のツボに横刺で刺し入れられる鍼刺入れ部(21)と、上記線状のツボに刺し入れられない非刺入れ部(22)を有し、
該鍼刺入れ部(21)と非刺入れ部(22)との境界部分には、非刺入れ部(22)が皮膚へ刺し入れられることを防止する手段(23)が設けられていることを特徴とする、
治療鍼。
【請求項３】
鍼体(2)と鍼柄(3)とからなる治療鍼(1)であって、
鍼体(2)は、狭心症または狭心症の前駆症状に対応する耳介の線状のツボに横刺で刺し入れられる鍼刺入れ部(21)と、上記線状のツボに刺し入れられない非刺入れ部(22)を有し、
非刺入れ部(22)は鍼刺入れ部(21)よりも太く、非刺入れ部(22)と鍼刺入れ部(21)との境界部分には段部(23)が形成されていることを特徴とする、
治療鍼。
【請求項４】
鍼刺入れ部(21)は長さが３〜５ｍｍであり、非鍼刺入れ部(22)の長さは３ｍｍ〜１５ｍｍであり、鍼柄(3)の長さは２０ｍｍ以上であることを特徴とする、
請求項１，２または３記載の治療鍼。
【発明の詳細な説明】
【技術分野】
【０００１】
本発明は治療鍼に関する。
更に詳しくは、狭心症または狭心症の前駆症状の治療に適した治療鍼であって、熟達者でなくでもその症状に対応する耳介に在る線状のツボを正しく刺鍼することができるようにしたものに関する。
【背景技術】
【０００２】
冠攣縮性狭心症（本明細書では単に「狭心症」という場合がある）は、冠状動脈の病的な攣縮によって起こる病気である。その発作の症状は、前胸部を中心として肩、左腕、顎、首、鼻、上腹部などにみられる。しかしながら、初期の自覚症状は必ずしも前胸部とは限らず、腕や顎、あるいは狭心症が起因すると考えないような歯の痛みという場合もある。このため、本人が狭心症に気づくのが遅れ、早期治療の機会を逃してしまうことも少なくない。
【０００３】
更に冠攣縮性狭心症は、安静時心電図や血液検査等の一般的な検診では、その確定診断が困難である。このため、運動器具を用いた運動負荷心電図試験や、アセチルコリンやエルゴノビンによる冠攣縮誘発試験が行われるが、冠攣縮の異常があっても、これらの試験で「陰性」と判断される場合もある。
【０００４】
また冠攣縮性狭心症の治療には、ニトログリセリンなどの亜硝酸系薬剤の舌下服用が最も有用であるため、ニトログリセリンを投与した際の効果が得られれば、狭心症の可能性が非常に高いと判断できる。しかし、通常、前胸部痛の症状がないと狭心症を疑わないため、早期診断のためにニトログリセリンを使用することはない。またニトログリセリンの使用は、血圧低下、頭痛、悪心、嘔吐、尿失禁等の副作用を伴うので、他に安全で有用な治療方法が望まれていた。
【０００５】
ところで、本発明者は臨床医療に長年従事する内科の医師であり、狭心症の前駆症状がみられる患者とも多く接している。そして、多くの患者の心電図を診てきた経験から、高血圧症の患者、更年期の女性、更年期以後の正常血圧の女性などに狭心症の前駆症状がある場合、その患者の心電図ではＳＴの盆状波形の底部が基線以下に低下していることを知見した。
【０００６】
本発明者はその知見に基づき、１５年以上前から研究している鍼療法を応用して、狭心症または狭心症の前駆症状の改善に鋭意に取り組んだ結果、耳介（外耳の一部）の所定の位置に線状のツボを新たに発見し、そのツボに横刺で刺鍼することによって、心電図の波形を正常に改善させると共に、狭心症の前駆症状を軽快させることができることを見い出した。
【０００７】
図６は、従来より使用されている耳鍼用の鍼を示す拡大側面視説明図である。従来の耳鍼用の鍼４は、鍼を持つ部分である鍼柄４１と、ツボに刺し入れられる部分である鍼体４２とからなり、皮膚面に対して約９０度の直刺または斜刺でツボに刺鍼する。鍼体４２の太さは例えば直径０．１８ｍｍ程度であるが、鍼柄４１は指で掴みやすいように直径約１．０ｍｍ程度の太さとなっている。また鍼体４２の長さは約５ｍｍ、鍼柄４１の長さは１９ｍｍ程度である。
【発明の開示】
【発明が解決しようとする課題】
【０００８】
しかしながら、図１の太線で示すように、本発明者が新たに見つけた線状のツボＡ（本明細書では単に「線状ツボ」という場合がある）は、耳介の対耳輪上脚ａと舟状窩ｂとの境界線上で、且つ舟状窩ｂに在る耳穴点の指ｃと腕ｄの間に相当する線上の約３〜４ｍｍと細く限られた箇所であり、しかもその線状ツボＡに鍼を浅く横刺する必要がある。このため、従来より直刺または斜刺で使用されている耳鍼用の鍼４（図６参照）を使用した場合、熟達者でなければその刺鍼が難しかった。
【０００９】
即ち、図６に示す従来の耳鍼用の鍼４では、鍼体５が５ｍｍと短く、しかも鍼体５が鍼柄４の先に直接的に設けてあるため、この鍼４で線状ツボＡを横刺しようとしても、図７に示すように、親指６が邪魔になって鍼４を上手く横に倒すことが難しい。これは、鍼４の掴みを浅くして（皮膚表面の近い位置で掴んで）鍼４を無理に倒そうとしても、逆に鍼４を正確に握れなくなるため、線状ツボを正しく刺鍼することは困難である。
【００１０】
更に、耳介の形は人それぞれに個人差があるため、対耳輪上脚ａと舟状窩ｂとの境界線がはっきりしなかったり、境界線が見当たらない（平坦になっている）患者もいる。よって、そのような患者の場合は、耳輪ｅを顔面側に曲げ、それによってできる皺の線上を上方に向け、且つ所定の長さに浅く横刺するといった高度な技量が必要である。このため、鍼体４２を上手く横に倒すことができない従来の鍼４（図６参照）では、そういった患者に対応することは困難である。
【００１１】
（本発明の目的）
そこで本発明は、狭心症または狭心症の前駆症状の治療に適した治療鍼の提供を目的とするものであり、熟達者でなくでもその症状に対応する耳介に在る線状のツボを正しく刺鍼することができるようにすることにある。
【課題を解決するための手段】
【００１２】
上記目的を達成するために講じた本発明の手段は次のとおりである。
【００１３】
第１の発明にあっては、
鍼体と鍼柄とからなる治療鍼であって、
鍼体は、狭心症または狭心症の前駆症状に対応する耳介の線状のツボに横刺で刺し入れられる鍼刺入れ部と、上記線状のツボに刺し入れられない非刺入れ部を有し、
該鍼刺入れ部と非刺入れ部との境界部分には、境界の識別手段が設けてあることを特徴とする、
治療鍼である。
【００１４】
第２の発明にあっては、
鍼体と鍼柄とからなる治療鍼であって、
鍼体は、狭心症または狭心症の前駆症状に対応する耳介の線状のツボに横刺で刺し入れられる鍼刺入れ部と、上記線状のツボに刺し入れられない非刺入れ部を有し、
該鍼刺入れ部と非刺入れ部との境界部分には、非刺入れ部が皮膚へ刺し入れられることを防止する手段が設けられていることを特徴とする、
治療鍼である。
【００１５】
第３の発明にあっては、
鍼体と鍼柄とからなる治療鍼であって、
鍼体は、狭心症または狭心症の前駆症状に対応する耳介の線状のツボに横刺で刺し入れられる鍼刺入れ部と、上記線状のツボに刺し入れられない非刺入れ部を有し、
非刺入れ部は鍼刺入れ部よりも太く、非刺入れ部と鍼刺入れ部との境界部分には段部が形成されていることを特徴とする、
治療鍼である。
【００１６】
第４の発明にあっては、
鍼刺入れ部は長さが３〜５ｍｍであり、非鍼刺入れ部の長さは３ｍｍ〜１５ｍｍであり、鍼柄の長さは２０ｍｍ以上であることを特徴とする、
第１，２または第３の発明に係る治療鍼である。
【００１７】
本発明に係る治療鍼は、狭心症または狭心症の前駆症状の治療のために開発されたものであり、該症状に対応する耳介の線状のツボに鍼を横刺で刺し入れて治療を行う。
【００１８】
その線状ツボは、本発明者が、狭心症の前駆症状の改善に鋭意に取り組んだ結果、新たに発見したものであり、この線状ツボに刺鍼することによって、狭心症または狭心症の前駆症状を軽快させることができる。
【００１９】
また、狭心症またはその前駆症状を起こす冠攣縮の異常は、本発明者が長年の臨床治療にあった経験から、患者の心電図にみられる特有の波形を見極めることで推察できるようになった。
【００２０】
即ち、正常な患者の心電図では、図２(ａ)〜（ｃ）の各実線で示すような波形となる。  これに対し、「将来、冠攣縮を起こす可能性がある患者」では、図２(ａ)の点線で示すように、ＳＴの波形がやや低下し、その底部は基線上にある。
【００２１】
また「既に冠攣縮の異常がみられるかまたは異常が起こる前兆の患者」では、図２(ｂ)の点線で示すように、ＳＴの波形の底部が軽度に基線以下の状態となっている。
【００２２】
更に「強い冠攣縮を起こした患者の場合」では、図２(ｃ)の点線で示すように、ＳＴの盆状波形の底部が基線よりもかなり低下した状態となっている。現在、心電図は、標準肢誘導（I・II・III誘導）、単極肢誘導(aＶＬR・aＶＬ・aＶF誘導)及び単極胸部誘導（Ｖ１・Ｖ２・Ｖ3・Ｖ４・Ｖ５・Ｖ６誘導）の合計１２誘導を記録して総合判断を下すのが一般的であるが、上記したＳＴの盆状低下は、I、II、aＶＬ、aＶF、Ｖ3、Ｖ4、Ｖ5、Ｖ6 の誘導にみられ、特にI、II、aＶF、Ｖ5、Ｖ6 の誘導に多くみられる。
【００２３】
以上説明した心電図による冠攣縮の異常見知方法は、冠攣縮性狭心症の早期診断法が確立していない現在において、極めて有用である。
【００２４】
そして、本発明者が発見した耳介の線状ツボに横刺で刺鍼することによって、心電図の波形を図２の実線で示す正常な波形に改善させると共に、狭心症の前駆症状を軽快させることができた。
【００２５】
具体的な線状ツボＡの位置は、図１で既に説明した通り、耳介の対耳輪上脚ａ（別名、上対輪脚）と舟状窩ｂとの境界線上で、且つ舟状窩ｂに在る耳穴点の指ｃと腕ｄの間に相当する線上の約３〜４ｍｍとごく限られた箇所であり、しかもその箇所に鍼を横刺する必要がある。このため、熟達者でなければその刺鍼が難しい。
【００２６】
このようなことから本発明に係る治療鍼では、鍼体を耳介の線状ツボに横刺で刺し入れられる鍼刺入れ部と、上記線状ツボに刺し入れない非刺入れ部に分け、鍼刺入れ部と非刺入れ部の境界部分に境界の識別手段を設けている。
【００２７】
そして、本発明によれば、従来の耳介用の鍼と比べて、非刺入れ部の分だけ鍼体の全長が長くなり、鍼を線状ツボに刺した場合の鍼先端と親指との間隔が長くなる。よって、鍼の軸線方向と皮膚表面とのなす角を小さくすることができ、鍼を横に倒しやすい。
また上記境界の識別手段を目安に、鍼刺入れ部だけを耳介の線状ツボに横刺すればよいので、線状ツボを越え、ツボ以外の関係のない箇所まで、誤って鍼を刺し入れてしまうことを防止することができる。
【００２８】
鍼刺入れ部と非刺入れ部との境界部分に設ける境界の識別手段は、特に限定するものではないが、例えばその境界部分の一部または全周にわたって凸部や凹部、あるいは線状または点等で目盛りや印を設けたり、鍼刺入れ部と非刺入れ部の色を変えたりすることができる。
鍼刺入れ部と非刺入れ部の色を変える場合は、例えばその部分の材質をそれぞれ異なるものとしたり、非刺入れ部をメッキ等で着色したりすることが挙げられる。
【００２９】
また鍼刺入れ部と非刺入れ部との境界部分に、非刺入れ部が皮膚へ刺し入れられることを防止する手段を設けることが好ましい。その手段の例としては、例えば上記したように境界部分の一部または全周にわたって凸部を形成したり、非刺入れ部を鍼刺入れ部よりも太くして、その境界部分には段部を形成することが挙げられる。
【００３０】
このような構成により、鍼体を線状ツボへ刺し進めていくと、鍼刺入れ部と非刺入れ部との境界部分にある凸部や段部等が皮膚の表面に当たり、それが指に感触として伝わるため、既に鍼刺入れ部を線状ツボに刺し入れたことが容易に判断できる。したがって、線状ツボを越え、ツボ以外の関係のない箇所まで、誤って鍼を刺し入れてしまうことを防止できる。
【００３１】
耳介の線状ツボに刺し入れられる鍼刺入れ部の長さは、３〜５ｍｍが好ましい。これは、耳介の線状ツボの長さが３〜４ｍｍであるため、長さが３ｍｍ未満であると、線状ツボ全体を十分に刺鍼することができないので好ましくなく、長さが５ｍｍを越えると線状ツボを越えてツボ以外の部分を刺鍼する可能性があるため、好ましくない。
【００３２】
鍼刺入れ部の太さは、患者によって線状ツボの太さが異なるので特に限定するものではないが、例えば直径０．１４〜０．２０ｍｍのものが好適に使用できる。
【００３３】
更に、非鍼刺入れ部の長さは３ｍｍ〜１５ｍｍが好ましい。長さが３ｍｍ未満であると、鍼を横に倒して横刺するのが難しくなるので好ましくなく、長さが１５ｍｍを越えると長すぎて手元が狂いやすくなるので好ましくない。
【００３４】
鍼柄の長さは、握る人の指の太さや長さと関連するため、特に限定するものではないが、２０ｍｍ以上であることが好ましい。２０ｍｍ以上あれば、親指と人差し指の平で鍼をしっかりと持つことができ、目的とする線状ツボに正確に刺鍼しやすい。特に長さが３０ｍｍ以上あれば、親指と人差し指に中指を加えた３本の指でしっかりと鍼を持つことができるので、より好ましい。
【発明の効果】
【００３５】
本発明は上記構成を備え、次の効果を有する。
（ａ）本発明に係る治療鍼は、狭心症または狭心症の前駆症状に対応する耳介の線状のツボに横刺で刺し入れられる鍼刺入れ部と、上記線状のツボに刺し入れられない非刺入れ部を有している。このように本発明によれば、線状のツボに刺し入れられる部分である鍼刺入れ部は、鍼柄の先に直接設けられておらず、非刺入れ部を間に介して設けられている。よって、従来の耳介用の鍼と比べて、非刺入れ部の分だけ鍼体の全長が長くなり、鍼を線状ツボに刺した場合の鍼先端と親指との間隔が長くなる。したがって、鍼の軸線方向と皮膚表面とのなす角を小さくして鍼を横に倒しやすくなるので、線状のツボを横刺で正しく刺鍼することができる。
【００３６】
そして、該非刺入れ部と鍼刺入れ部との境界部分には、境界の識別手段が設けられているので、その境界の識別手段を目安に、鍼刺入れ部だけを耳介の線状ツボに横刺すればよいので、線状ツボを越え、ツボ以外の関係のない箇所まで、誤って鍼を刺し入れてしまうことを防止できる。
【００３７】
また、耳介の線状ツボがはっきりしない患者の場合でも、本発明に係る治療鍼を使用すれば、上記した効果により比較的容易に目的の線状ツボに刺鍼することができる。
【００３８】
このように、本実施例に係る治療鍼を使用すれば、副作用が危惧されるニトログリセリン等の薬物療法に比べ、患者にあまり負担をかけずに、狭心症または狭心症の前駆症状の治療を比較的容易に行うことができる。
【００３９】
（ｂ）鍼刺入れ部と非刺入れ部との境界部分に、非刺入れ部が皮膚へ刺し入れられることを防止する手段が設けられているもの、あるいは非刺入れ部が鍼刺入れ部よりも太く、非鍼刺入れ部と鍼刺入れ部との境界部分には段部が形成されているものでは、鍼体を線状ツボへ刺し進めていくと、鍼刺入れ部と非刺入れ部との境界部分にある段部等が皮膚の表面に当たり、それが指に感触として伝わるため、既に鍼刺入れ部を線状ツボに刺し入れたことが容易に判断できる。したがって、線状ツボを越え、ツボ以外の関係のない箇所まで、誤って鍼を刺し入れてしまうことを防止できる。
【００４０】
（ｃ）鍼刺入れ部は長さが３〜５ｍｍであり、非鍼刺入れ部の長さは３ｍｍ〜１５ｍｍであり、鍼柄の長さは２０ｍｍ以上であるものは、耳介の線状ツボを良好に刺鍼できる長さに設定されているため、熟達者でなくてもその線状ツボをより確実に正しく刺鍼することができる。
【発明を実施するための最良の形態】
【００４１】
本発明を図面に示した実施例に基づき更に詳細に説明する。
【実施例１】
【００４２】
図３は本発明に係る治療鍼の第１の実施例を示す拡大側面視説明図である。
図３に示す治療鍼はステンレス製である。ただし、金や銀等の他の金属で形成することもできる。
【００４３】
治療鍼１は、鍼体２と鍼柄３とからなる。本実施例では、鍼体２の長さは１５ｍｍ、鍼柄３の長さは２０ｍｍである。
【００４４】
鍼体２の先端側は、耳介に在る特定の線状ツボＡ（図１参照）に横刺で刺し入れられる鍼刺入れ部２１となっている。鍼刺入れ部２１は、太さが直径０．１８ｍｍ、長さが５ｍｍである。
【００４５】
鍼体２の基端側は、上記線状ツボＡに刺し入れない非刺入れ部２２となっている。非刺入れ部２２は鍼刺入れ部２１よりも太く、その太さは直径０．２８ｍｍで、長さは１０ｍｍである。
【００４６】
上記のとおり、非刺入れ部２２は鍼刺入れ部２１よりも太くなっており、非刺入れ部２２と鍼刺入れ部２１との境界部分には段部２３が形成されている。この段部２３は、非刺入れ部２２が皮膚へ刺し入れられることを防止する手段を構成している。また非刺入れ部２２は、鍼柄３よりも細く形成されている。鍼柄３の太さは、直径０．９〜１．０ｍｍとなっている。
【００４７】
（作  用）
図４は、図３に示す治療用鍼を使用して、耳介の線状ツボに刺鍼している状態を示す拡大説明図である。
本実施例に係る治療鍼１の作用を説明する。
【００４８】
図３に示す治療鍼１を用いて、狭心症または狭心症の前駆症状がみられる患者の耳介に、鍼治療を行う。
【００４９】
耳介に在る具体的な線状ツボＡの位置は、図１で既に説明した通り、耳介の対耳輪上脚ａと舟状窩ｂとの境界線上で、且つ舟状窩ｂに在る耳穴点の指ｃと腕ｄの間に相当する線上の約３〜４ｍｍの箇所である。
【００５０】
そして、具体的な手順としては、図４に示すように、治療鍼１の鍼柄３を親指６と人差し指７の平で持ち、鍼体２の鍼刺入れ部２１を上記線状ツボＡに浅く横刺で刺鍼する。詳しくは、耳介の軟骨に当たらないように浅く、鍼刺入れ部２１を３〜４ｍｍ程度刺し入れる。
【００５１】
本実施例によれば、線のツボＡに刺し入れる鍼刺入れ部２１は、鍼柄３の先に直接設けられておらず、非刺入れ部２２を間に介して設けられている。よって、図５に示す従来の耳介用の鍼４と比べて、非刺入れ部２２の分だけ鍼体２の全長が長くなっているため、図４に示すように、鍼を線状ツボＡに刺した場合の鍼先端と親指６との間隔が長くなる。よって、鍼の軸線方向と皮膚表面とのなす角を小さくすることができ、鍼を横に倒しやすい。したがって、線状のツボを正しく横刺で刺鍼することができる。
【００５２】
また鍼刺入れ部２１と非刺入れ部２２との境界部分には、段部２３が形成されている。
これにより、鍼体２を線状ツボＡへ刺し進めていくと、段部２３が皮膚の表面に当たり、それが指に感触として伝わるため、既に鍼刺入れ部２１を線状ツボＡに刺し入れたことが容易に判断できる。したがって、線状ツボＡを越え、ツボ以外の関係のない箇所まで、誤って鍼を刺し入れてしまうことを防止できる。
【００５３】
（治験例）
５０代女性。１ヶ月程前から、重度の肩こりと背部痛に加え、左側胸部痛と心臓部痛を訴える。左側胸部痛と心臓部痛があるときに、心電図を測定したところ、図５(ａ)に示すように、ＳＴの盆状波形の底部が基線以下に深く低下していた。そこで、本実施例の治療鍼１を用い、耳介の線状ツボＡに刺鍼したところ、５０分ほどでその痛みは軽快した。
【００５４】
その後、カルシウム拮抗剤の投与の服用と共に、週に一度ぐらいの間隔で鍼治療を行ったところ、１ヶ月後の心電図では図５(ｂ)に示すようにその波形が改善し（ＳＴの盆状波形の底部は上昇し）、その後の胸部痛等の発作もみられない。
【００５５】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００５６】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００５７】
【図１】狭心症または狭心症の前駆症状に対応する耳介の線状ツボＡの位置を説明するための図。
【図２】冠攣縮の異常がみられるかまたは異常が起こる前兆の患者の心電図の波形を点線で示した説明図。
【図３】本発明に係る治療鍼の第１の実施例を示す拡大側面視説明図。
【図４】図３に示す治療用鍼を使用して、耳介の線状ツボに刺鍼している状態を示す拡大説明図。
【図５】狭心症の前駆症状があると思われる患者の心電図であり、図５(ａ)は鍼治療を行う前の波形、図５(ｂ)は鍼治療を行った後の波形を示す。
【図６】従来より使用されている耳鍼用の鍼を示す拡大側面視説明図。
【図７】従来の耳鍼用の鍼を使用して、耳介の線状ツボに刺鍼している状態を示す拡大説明図。
【符号の説明】
【００５８】
１  治療鍼
２  鍼体
２１  鍼刺入れ部
２２  非刺入れ部
２３  段部
３  鍼柄
【図１】
2005052554.tif 000003
【図２】
2005052554.tif 000004
【図３】
2005052554.tif 000005
【図４】
2005052554.tif 000006
【図５】
2005052554.tif 000007
【図６】
2005052554.tif 000008
【図７】
2005052554.tif 000009